(57)【要約】【課題】使用状態と非使用状態とで拡大鏡の位置を変更できるとともに、いずれの状態にあっても照明部の位置が移動しない頭部装着型拡大鏡を提供する。【解決手段】頭部装着型拡大鏡１は、拡大鏡本体支持部２０を備え、拡大鏡本体支持部２０の他端部は、上下方向に伸びる支持軸部２２によって構成されており、支持軸部２２の下端には、使用者の前方を照らす照明部３０が取り付けられており、少なくとも照明部３０の上方において、支持軸部２２に拡大鏡本体部４０が上下摺動自在に支持されており、拡大鏡本体部４０は、摺動可能範囲の最下位置にある場合に使用状態αとされる。【選択図】図１
0003214143.tif 000002
【実用新案登録請求の範囲】
【請求項１】
使用者の頭部に装着される頭部装着部と、
前記頭部装着部に取り付けられている拡大鏡本体支持部と、
前記拡大鏡本体支持部に取り付けられており、拡大鏡を有している拡大鏡本体部と、
を具備した頭部装着型拡大鏡であって、
前記拡大鏡本体支持部の一端部が前記頭部装着部に取り付けられており、かつ前記拡大鏡本体支持部の少なくとも他端部は、上下方向に配置された支持軸部によって構成されており、前記支持軸部の下端には、前記使用者の前方を照らす照明部が配置されており、少なくとも前記照明部の上方において、前記拡大鏡本体部が前記支持軸部に対して上下方向に沿って摺動自在に支持されており、
前記拡大鏡本体部は、摺動可能な範囲における最下位置に位置した場合に、前記使用者が前記拡大鏡を介して対象物を視認する使用状態となる
ことを特徴とする頭部装着型拡大鏡。
【請求項２】
前記拡大鏡本体部は、前記支持軸部に上下方向に沿って摺動自在に接続されているブラケット部と、前記ブラケット部に取り付けられたレンズケース部とで構成されており、
前記ブラケット部は、前記支持軸部を基準として後方に向けて差し出されており、当該ブラケット部の先端に前記レンズケース部が設けられていると共に、
前記レンズケース部の前面には、前記拡大鏡が臨む視認窓部が形成されており、前記使用状態において前記視認窓部の前側に前記照明部が位置している
請求項１に記載の頭部装着型拡大鏡。
【考案の詳細な説明】
【技術分野】
【０００１】
本考案は、例えば耳鼻科の医師が頭部に装着して使用する拡大鏡に関する。
【背景技術】
【０００２】
例えば特許文献１には、拡大光学系ユニットを位置調整可能に支持する調整機構を備える双眼拡大鏡が開示されている。
【０００３】
また、例えば特許文献２には、頭部装着手段と、照射手段とを備えた頭部装着診断用光照射装置が開示されている。
【先行技術文献】
【特許文献】
【０００４】
【特許文献１】特開２０１４−４１２１８号公報
【特許文献２】特開２００５−３０４５９９号公報
【考案の概要】
【考案が解決しようとする課題】
【０００５】
ここで、例えば医師が耳穴内や鼻穴内を診る際にあっては、特許文献２に開示されているような照射手段（照明部）が、なるべく医師の眼や拡大鏡レンズに近い位置にあることが望ましい。仮に、照明部が眼や拡大鏡レンズから離れた位置に配置されていると、耳穴内や鼻穴内のような小さな穴内部を診る医師の視界全体が十分に明るくならないという問題が生ずる。
【０００６】
また、例えば医師は、拡大鏡を使用して患部を診る場合もあるし、拡大鏡を使用せずに肉眼で患部を診る場合もあるため、拡大鏡は、容易かつ迅速に位置変更できるような構成となっていることが望ましい。また、拡大鏡を位置変更して拡大鏡を使用したり肉眼で診たりする場合に、照明の照射範囲は変わらない方が患部を診やすいという要請もある。
【０００７】
そこで本考案は、使用状態と非使用状態とで拡大鏡の位置を変更できるとともに、いずれの状態であっても照明部の照射範囲が使用者の肉眼に対して変わらない頭部装着型拡大鏡を提供することを目的とする。
【課題を解決するための手段】
【０００８】
本考案は、使用者の頭部に装着される頭部装着部と、前記頭部装着部に取り付けられている拡大鏡本体支持部と、前記拡大鏡本体支持部に取り付けられており、拡大鏡を有している拡大鏡本体部と、を具備した頭部装着型拡大鏡であって、前記拡大鏡本体支持部の一端部が前記頭部装着部に取り付けられており、かつ前記拡大鏡本体支持部の少なくとも他端部は、上下方向に配置された支持軸部によって構成されており、前記支持軸部の下端には、前記使用者の前方を照らす照明部が配置されており、少なくとも前記照明部の上方において、前記拡大鏡本体部が前記支持軸部に対して上下方向に沿って摺動自在に支持されており、前記拡大鏡本体部は、摺動可能な範囲における最下位置に位置した場合に、前記使用者が前記拡大鏡を介して対象物を視認する使用状態となることを特徴とする頭部装着型拡大鏡である。
【０００９】
かかる構成にあっては、拡大鏡本体部を使用状態の位置から上方に位置させると、使用者は肉眼で対象物を視認することができる。ここで、拡大鏡本体部は、前記照明部の上方で上下動可能となっている一方、前記照明部は、拡大鏡本体部が上下動してもその位置は常に変化しない。このため、当該頭部装着型拡大鏡を頭部に装着した状態では、使用者の目の位置に対する照明部の相対位置が全く変わらない。したがって、拡大鏡を含む拡大鏡本体部を位置変更して拡大鏡を使用したり肉眼で診たりする場合にも、照明部の照射範囲が一定となって対象物を視認しやすい利点がある。なお、支持軸部は、厳密に鉛直方向に沿った上下方向に配置されている必要はなく、使用者の目の位置よりも上方に向けて拡大鏡本体部が退避可能であればよい。
【００１０】
また、前記拡大鏡本体部は、前記支持軸部に上下方向に沿って摺動自在に接続されているブラケット部と、前記ブラケット部に取り付けられたレンズケース部とで構成されており、前記ブラケット部は、前記支持軸部を基準として後方に向けて差し出されており、当該ブラケット部の先端に前記レンズケース部が設けられていると共に、前記レンズケース部の前面には、前記拡大鏡が臨む視認窓部が形成されており、前記使用状態において前記視認窓部の前側に前記照明部が位置している構成が提案される。
【００１１】
かかる構成とすることにより、前記レンズケース部と前記照明部とが使用状態で前後に並ぶ配置が実現可能となる。すなわち使用状態では拡大鏡本体部は使用者の目の直前に置かれ、さらにその前側に照明部が位置する。このため、拡大鏡本体部と照明部とが前後に位置して互いに近接することとなって、視軸と光軸とが可及的に近づいて使用者の視界は非常に明るくなる利点がある。
【考案の効果】
【００１２】
本考案にかかる頭部装着型拡大鏡は、拡大鏡本体部が使用状態である場合も非使用状態となる場合も、対象物を適切に照らすことができる効果がある。
【図面の簡単な説明】
【００１３】
【図１】使用状態となっている頭部装着型拡大鏡を示す斜視図である。
【図２】非使用状態となっている頭部装着型拡大鏡を示す斜視図である。
【考案を実施するための形態】
【００１４】
以下に本考案を具体化した実施例を詳細に説明する。なお、本考案は、下記に示す実施例に限定されることはなく、適宜設計変更が可能である。
【００１５】
図１，図２に示すように、頭部装着型拡大鏡１は、使用者の頭部に装着される環状の頭部装着部１０を備えている。頭部装着部１０は、使用者の頭部の大きさに対応すべく、長さ調節自在となっている。
【００１６】
また、頭部装着部１０には、拡大鏡本体支持部２０が取り付けられている。詳述すると、拡大鏡本体支持部２０は、一端が頭部装着部１０に軸支された杆状の中継部材２１と、中継部材２１の他端に上端が軸支された四角柱形状の支持軸部２２と、で構成されている。ここで、支持軸部２２は、上下方向に沿って配置されている。
【００１７】
さらに、支持軸部２２の下端部には、使用者の前方を照らす照明部３０が取り付けられている。なお、頭部装着部１０及び中継部材２１、並びに、中継部材２１及び支持軸部２２は、互いにヒンジ構造を介して接続されており、これらで構成されたヒンジ機構２５によって照明部３０の位置が調節自在とされている。また例えば、拡大鏡本体支持部２０を頭部装着部１０に対して跳ね上げる状態とすることもできる。
【００１８】
また、支持軸部２２には、拡大鏡本体部４０が取り付けられている。さらに詳述すると、拡大鏡本体部４０は、支持軸部２２に接続されるブラケット部４１と、ブラケット部４１に取り付けられたレンズケース部４２と、で構成されている。
【００１９】
ブラケット部４１は、支持軸部２２を基準として後方に向けて差し出されており、その先端部にレンズケース部４２が設けられている。また、レンズケース部４２は、横長の箱形状をなし、使用者が覗く対眼レンズ部（隠れて見えない）と、レンズケース部４２の前面に配置されるレンズ窓部（視認窓部）４３とを有している。なお、前記したブラケット部４１は、支持軸部２２に対して上下摺動可能となっており、かつ、ブラケット部４１が落下しない程度の抵抗によって、変更後の位置で保持できる公知のレール構造が採用されている。かかる構成は、磁着手段を用いてブラケット部４１の位置を保持できる構成としてもよい。
【００２０】
上述した頭部装着型拡大鏡１は、使用者が頭部に装着した使用状態αにあって、図１に示すように、拡大鏡本体部４０の対眼レンズ部から使用者が対象物を視認可能となる。そして、かかる使用状態αでは、レンズケース部４２の前面の位置（位置Ｌ）が、照明部３０より後側に位置している。このような配置とすることにより、拡大鏡本体部４０と照明部３０とを互いに近接させることが可能となる。なお、レンズケース部４２と使用者の眼とを適正な相対位置を微調節するには、適宜、ヒンジ機構２５を用いて行うことができる。
【００２１】
また、使用者は、図２に示すように、拡大鏡本体部４０を使用状態の位置から上方へ移動させて、肉眼で対象物を観察する状態とすることができる（非使用状態β）。このとき、照明部３０の位置は、使用状態αにおける位置と変わらないため、使用者は肉眼で患部を診察する場合にも、変わらない明るさで視野を確保することができる。また、非使用状態βとする際に、拡大鏡本体部４０が照明部３０の前方を遮ることもない。
【００２２】
このように頭部装着型拡大鏡１は、例えば耳鼻科で使用する際に、肉眼で診察する場合と、拡大鏡を用いて診察する場合とのいずれの場合にも視野を明るく確保することができるため、診察が行いやすい。
【００２３】
これまでに述べた実施例にあって、各部の寸法形状は適宜自由に選択可能である。
【００２４】
また、例えば拡大鏡本体部４０のレンズケース部４２は公知の技術によって構成可能であり、左右のレンズの離間距離を変更可能として、各使用者の両眼の幅に対応可能な構成としてもよい。また、支持軸部２２は、四角柱形状である必要はなく、例えば円柱形状等であっても構わない。また、ヒンジ機構２５に代えて、他の機構からなる位置調整可能手段が構成されていてもよい。
【符号の説明】
【００２５】
１            頭部装着型拡大鏡
１０          頭部装着部
２０          拡大鏡本体支持部
３０          照明部
４０          拡大鏡本体部
４１          ブラケット部
４２          レンズケース部
４３          レンズ窓部（視認窓部）
α            使用状態
【図１】
0003214143.tif 000003
【図２】
0003214143.tif 000004